(57)【要約】【課題】本発明は、レゾルバ収容筐体内に輪状ステータを収容した場合におけるステータ巻線の外部からの損傷を防止することである。【解決手段】本発明によるレゾルバステータ巻線保護カバーを備えたレゾルバ収容筐体構造は、ステータ巻線(2A)を有する輪状ステータ(2)を内設したレゾルバ収容筐体(1)の開口側(4)にロータ用開口(31)を有する保護カバー(32)を設け、前記ステータ巻線(2A)の外部からの損傷を防止する構成である。【選択図】図１
2015139272.tif 000002
【特許請求の範囲】
【請求項１】
レゾルバ収容筐体(1) 内に固定されステータ巻線(2A)を有する輪状ステータ(2)と、前記レゾルバ収容筐体(1)の開口側(4)に設けられた平板状の保護カバー(32)と、前記保護カバー(32)に形成されロータ(5)を有するレゾルバロータ軸(7)を前記輪状ステータ(2)内に挿入するためのロータ用開口(31)と、からなり、
前記保護カバー(32)を前記開口側(4)に装着後は、前記輪状ステータ(2)のステータ巻線(2A)は前記ロータ用開口(31)の外側からは保護されるように構成されていることを特徴とするレゾルバステータ巻線保護カバーを備えたレゾルバ収容筐体構造。
【請求項２】
前記保護カバー(32)は、前記レゾルバ収容筐体(1)の開口側(4)に設けられた端板(20)の端板開口(30)に取付けられ、前記保護カバー(32)の一対の耳部(32a)が前記端板(20)にねじ止めされていることを特徴とする請求項１記載のレゾルバステータ巻線保護カバーを備えたレゾルバ収容筐体構造。
【請求項３】
前記開口側(4)にはアダプタ(40)が設けられ、前記保護カバー(32)を設けることにより、前記輪状ステータ(2)に前記アダプタ(40)が当接して前記輪状ステータ(2)が前記レゾルバ収容筐体(1)内に位置決めされていることを特徴とする請求項１又は２記載のレゾルバステータ巻線保護カバーを備えたレゾルバ収容筐体構造。
【発明の詳細な説明】
【技術分野】
【０００１】
本発明は、レゾルバステータ巻線保護カバーを備えたレゾルバ収容筐体構造に関し、特に、レゾルバ収容筐体の開口側に保護カバーを設けることにより、レゾルバ収容筐体の外側からみた場合にステータ巻線が見えないようにして保護するための新規な改良に関する。
【背景技術】
【０００２】
近年、増加傾向にあるこの種の筐体内にレゾルバを収容して用いる筐体収容型レゾルバのビルトイン構造としては、類似の構造として特許文献１の構成があるが、一般的には図４で示される構成が広く採用されている。
すなわち、図４において符号１で示されるものは全体形状が箱状をなすレゾルバ収容筐体であり、このレゾルバ収容筐体１内には、ステータ巻線２Ａ，３Ａを有する一対の輪状ステータ２,３が互いに離間した状態で取付けられている。
【０００３】
前記レゾルバ収容筐体１の開口側４を、一対のロータ５,６を有する固定配置のレゾルバロータ軸７に挿入して組立てる場合、前記各ロータ５,６が前記各輪状ステータ２,３の各ロータ用孔２ａ，３ａ内に挿入した状態で前記レゾルバ収容筐体１が図示しない固定手段によって装置等に固定される。
【先行技術文献】
【特許文献】
【０００４】
【特許文献１】特開２０１０−２８３９６２号公報
【発明の概要】
【発明が解決しようとする課題】
【０００５】
従来筐体収容型レゾルバは、以上のように構成されていたため、次のような課題が存在していた。
すなわち、輪状ステータを有するレゾルバ収容筐体と、ロータを有するレゾルバロータ軸と、が完全に別体構成であるため、輪状ステータがレゾルバ収容筐体内に保護されており、ステータ巻線自体を保護する構造は全く採用されてなく、このステータ巻線はレゾルバ収容筐体の開口側で外部に開放された状態となっていた。
そのため、レゾルバ収容筐体をロータ側に挿入させて組立てる場合、ステータ巻線にロータが当たり、損傷を受けることがあると共に、レゾルバ収容筐体を在庫として保管している状態でも、ステータ巻線を何らかの理由で損傷する場合がある。
【０００６】
本発明は、以上のような課題を解決するためになされたもので、特に、レゾルバ収容筐体の開口側に保護カバーを設けることにより、レゾルバ収容筐体の外側からみた場合にステータ巻線が見えないようにして保護することを目的とする。
【課題を解決するための手段】
【０００７】
本発明によるレゾルバステータ巻線保護カバーを備えたレゾルバ収容筐体構造は、レゾルバ収容筐体内に固定されステータ巻線を有する輪状ステータと、前記レゾルバ収容筐体の開口側に設けられた平板状の保護カバーと、前記保護カバーに形成されロータを有するレゾルバロータ軸を前記輪状ステータ内に挿入するためのロータ用開口と、からなり、前記保護カバーを前記開口側に装着後は、前記輪状ステータのステータ巻線は前記ロータ用開口の外側からは保護されるように構成されている構成であり、また、前記保護カバーは、前記レゾルバ収容筐体の開口側に設けられた端板の端板開口に取付けられ、前記保護カバーの一対の耳部が前記端板にねじ止めされている構成であり、また、前記開口側にはアダプタが設けられ、前記保護カバーを設けることにより、前記輪状ステータに前記アダプタが当接して前記輪状ステータが前記レゾルバ収容筐体内に位置決めされている構成である。
【発明の効果】
【０００８】
本発明によるレゾルバステータ巻線保護カバーを備えたレゾルバ収容筐体構造は、以上のように構成されているため、次のような効果を得ることができる。
すなわち、レゾルバ収容筐体内に固定されステータ巻線を有する輪状ステータと、前記レゾルバ収容筐体の開口側に設けられた平板状の保護カバーと、前記保護カバーに形成されロータを有するレゾルバロータ軸を前記輪状ステータ内に挿入するためのロータ用開口と、からなり、前記保護カバーを前記開口側に装着後は、前記輪状ステータのステータ巻線は前記ロータ用開口の外側からは保護されるように構成されていることにより、保護カバーによってステータ巻線が保護されるため、外部からの異物、もしくは、レゾルバロータ軸への組込み時の干渉によるステータ巻線の損傷を防止できる。
また、前記保護カバーは、前記レゾルバ収容筐体の開口側に設けられた端板の端板開口に取付けられ、前記保護カバーの一対の耳部が前記端板にねじ止めされていることにより、保護カバーの取付けが容易となる。
また、前記開口側にはアダプタが設けられ、前記保護カバーを設けることにより、前記輪状ステータに前記アダプタが当接して前記輪状ステータが前記レゾルバ収容筐体内に位置決めされていることにより、保護カバーの取付けによって輪状ステータの固定を行うことができる。
【図面の簡単な説明】
【０００９】
【図１】本発明によるレゾルバステータ巻線保護カバーを備えたレゾルバ収容筐体構造を示す断面図である。
【図２】図１に端板と保護カバーを設けた状態を示す左側面図である。
【図３】図２の保護カバーを示す構成図である。
【図４】従来構造を示す断面図である。
【発明を実施するための形態】
【００１０】
本発明によるレゾルバステータ巻線保護カバーを備えたレゾルバ収容筐体構造は、保護カバーによってレゾルバ収容筐体内の輪状ステータのステータ巻線の保護を行う構成である。
【実施例】
【００１１】
以下、図面と共に本発明によるレゾルバステータ巻線保護カバーを備えたレゾルバ収容筐体構造の好適な実施の形態について説明する。
尚、従来例と同一又は同等部分については、同一符号を用いて説明する。
図１において符号１で示されるものは、その内部に輪状ステータ２が設けられたレゾルバ収容筐体であり、このレゾルバ収容筐体１は全体形状が箱型をなすと共に、前記輪状ステータ２の奥側（図１の右側）には、前記輪状ステータ２に設けられたステータ巻線２Ａが接続された端子ピン保持部１０のピン１１からのリード線１２が収容されている。
【００１２】
前記レゾルバ収容筐体１の奥側に設けられたリード線収容部１３内には、前記リード線１２が曲折されて収容されると共に樹脂１４によって固められている。
前記リード線収容部１３の下部には、筒部１５が形成され、前記リード線１２のリード線束１６がこの筒部１５の孔１５ａを貫通している。
【００１３】
前記筒部１５の外周には、筒状でかつ径大部１７ａと径小部１７ｂが連続して筒状に形成された熱収縮チューブ１７が輪状の締め具であるインシュロックタイ１８を介して取付けられ、前記リード線束１６は、この熱収縮チューブ１７を貫通して下方の外部へ引出されている。
前記熱収縮チューブ１７の下端１７ｃは前記リード線束１６の外周に密合するように構成されているため、前記リード線収容部１３に供給された時の溶融状の樹脂１４は筒部１５とリード線束１６との隙間を経て熱収縮チューブ１７内に流れ込むことにより、リード線１２及びリード線束１６は前記レゾルバ収容筐体１内に固定される。
【００１４】
前記レゾルバ収容筐体１の開口側４の外面には、図２で示す端板２０が設けられ、この端板２０には、前記ステータ巻線２Ａの外径及び前記端子ピン保持部１０を軸方向Ａに沿ってみた場合に相当する形状の大きさの端板開口３０が形成されている。
【００１５】
前記端板２０には、レゾルバロータ軸７のロータ５の外径よりやや大であるロータ用開口３１が形成された保護カバー３２の耳部３２Ａがねじ３３で取付けられ、この保護カバー３２の取付後は、図２で示されるように、図１の開口側４の外部からみた場合、図２で示されるように、ロータ５及び端子ピン保持部１０のみが見えるだけで、前記輪状ステータ２及びステータ巻線２Ａは保護カバー３２によって隠された状態となっている。
【００１６】
前記端板２０の内側には、前記ロータ５は貫通することができるように構成されたアダプタ４０が配設されており、前記保護カバー３２が前記端板２０に取付けられると、保護カバー３２の内側に一体形成された突起３２ａ，３２ｂがこのアダプタ４０を内方へ押すため、このアダプタ４０が前記輪状ステータ２を押圧して段部１Ａに押し付けられ、輪状ステータ２は、レゾルバ収容筐体１内の所定位置に固定される。
【００１７】
従って、前記保護カバー３２を開口側４に取付けた後は、図２で示されるように、前記輪状ステータ２のステータ巻線２Ａは、前記開口側４からみた場合、前記保護カバー３２で覆われて見ることができない状態となるように構成されている。
尚、前述の図１から図３における形態においては、開口側に端板２０とアダプタ４０と保護カバー３２を用いてステータ巻線２Ａの保護を行った場合について述べたが、前記開口側４を全て覆うような形状の大形の保護カバー３２を用いて端板２０とアダプタ４０を特に設けることなく、前述と同じ機能を持つように形成した場合には、前記保護カバー３２のみで前述と同等の作用効果を得ることができるように構成することができる。
【００１８】
尚、前述の本発明によるレゾルバステータ巻線保護カバーを備えたレゾルバ収容筐体構造の要旨とするところは、以下の通りである。
すなわち、レゾルバ収容筐体１内に固定されステータ巻線２Ａを有する輪状ステータ２と、前記レゾルバ収容筐体１の開口側４に設けられた平板状の保護カバー３２と、前記保護カバー３２に形成されロータ５を有するレゾルバロータ軸７を前記輪状ステータ２内に挿入するためのロータ用開口３１と、からなり、前記保護カバー３２を前記開口側４に装着後は、前記輪状ステータ２のステータ巻線２Ａは前記ロータ用開口３１の外側からは保護されるように構成されていることを特徴とするレゾルバステータ巻線保護カバーを備えたレゾルバ収容筐体構造であり、また、前記保護カバー３２は、前記レゾルバ収容筐体１の開口側４に設けられた端板２０の端板開口３０に取付けられ、前記保護カバー３２の一対の耳部３２ａが前記端板２０にねじ止めされていることを特徴とする請求項１記載のレゾルバステータ巻線保護カバーを備えたレゾルバ収容筐体構造であり、また、前記開口側４にはアダプタ４０が設けられ、前記保護カバー３２を設けることにより、前記輪状ステータ２に前記アダプタ４０が当接して前記輪状ステータ２が前記レゾルバ収容筐体１内に位置決めされていることを特徴とする請求項１又は２記載のレゾルバステータ巻線保護カバーを備えたレゾルバ収容筐体構造である。
【産業上の利用可能性】
【００１９】
本発明によるレゾルバケーブルの固定構造は、筐体入りレゾルバに限ることなく、例えば、サーボモータ等にも適用することができる。
【符号の説明】
【００２０】
１    レゾルバ収容筐体
１Ａ    段部
２    輪状ステータ
２ａ    ロータ孔
２Ａ    ステータ巻線
４    開口側
１０    端子ピン保持部
１１    ピン
１２    リード線
１３    リード線収容部
１４    樹脂
１５    筒部
１５ａ    孔
１６    リード線束
１７    熱収縮チューブ
１７ａ    径大部
１７ｂ    径小部
１７ｃ    下端
２０    端板
Ａ    軸方向
３０    端板開口
３１    ロータ用開口
３２    保護カバー
３２ａ    突起
３２ｂ    突起
３２Ａ    耳部
３３    ねじ
４０    アダプタ
【図１】
2015139272.tif 000003
【図２】
2015139272.tif 000004
【図３】
2015139272.tif 000005
【図４】
2015139272.tif 000006